(57)【要約】 【課題】台車（交換治具）を用いてギャングリッパの丸鋸付スリーブの交換装置を安全かつスピーデイに行う。【解決手段】この発明は、上記する課題を解決するために、ギャングリッパの丸鋸付スリーブ交換装置が、垂直に立設した旋回軸６回りに軸受１０を介して上下で回転可能に固定したフレーム５を設けた台車１と、前記旋回軸６回りのフレーム５に固定した複数の仮置き軸７と、前記仮置き軸７に着脱可能に且つ水平方向にギャングリッパの回転軸９に嵌め込むように仮置き軸７を移動可能とした丸鋸を設けたスリーブ８と、で構成される。また、丸鋸１３、１３、・・を所定の間隔で該丸鋸スリーブに配置する間座（１１、１２）と、を備えてなることを特徴としている。仮置き軸７を配置する角度によっては２個以上のスリーブ８を設ける【選択図】図１
2013193424.tif 000002
【特許請求の範囲】
【請求項１】
垂直に立設した旋回軸回りに軸受を介して上下で回転可能に固定したフレーム５を設けた台車と、
前記台車の旋回軸回りのフレームに固定した複数の仮置き軸と、
前記仮置き軸に着脱可能に且つ水平方向にギャングリッパの回転軸に嵌め込むように仮置き軸を移動可能とした丸鋸を設けたスリーブと、
丸鋸を所定の間隔で該丸鋸スリーブに配置する間座と、旋回軸を保持するフレーム上下調整手段と、を備えてなることを特徴とするギャングリッパの丸鋸付スリーブ交換装置
【請求項２】
前記旋回軸回りに軸受を介して上下で回転可能に固定したフレームを設けた仮置き軸に交換用丸鋸スリーブと使用済み丸鋸スリーブを仮置きできる軸をそれぞれ設け、必要なスリーブをギャングリッパの回転軸に移動させることが出来る構成とすることを特徴とした請求項１に記載のギャングリッパの丸鋸付スリーブ交換装置。
【請求項３】
また、請求項３に記載の発明は、ギャングリッパの丸鋸付きスリーブ交換装置が、仮置き軸を配置する角度によっては２個以上のスリーブを設けることを特徴とした請求項１に記載のギャングリッパの丸鋸付スリーブ交換装置。
【発明の詳細な説明】
【技術分野】
【０００１】
本発明は、ギャングリッパの鋸刃（丸鋸）付スリーブ交換装置、特に載置台の上に乗せ、回転（スリーブ仮置き軸を旋回）させるだけで交換用スリーブと使用済のスリーブを安全に且つスピーデイに交換することの出来るギャングリッパの丸鋸付きスリーブ交換装置に関する。
【背景技術】
【０００２】
板材を縦引きする丸鋸機は、通常ギャングリッパが使用される。ギャングリッパは、スリーブ（円筒状の回転体）周囲に複数の丸鋸刃を一定間隔で固定して回転させるものであって、平板材を送材チェーンあるいはローラ上を移動させ、回転中の前記丸鋸に当てて通常幅広の板材を縦方向に切断する機械である。
【０００３】
幅広の板材を縦引きする場合、所定の幅で一枚ずつ挽いていたのでは効率が上がらない。そこで切断幅を決める間座（スペーサ）と鋸刃を交互に入れて複数枚の鋸刃を挟んで固定したスリーブに鋸軸を通し、この鋸軸に固定したスリーブを回転させて縦挽きすると一度に複数枚の製品が取れるようになるが、切断幅の変更あるいは鋸刃の取替えをしなければならないから、取替えには手間と時間が掛かる。
【０００４】
また、複数枚の鋸刃を所定の切断間隔にセットしたスリーブを使い、丸鋸を鋸軸に取り付けることにより作業の簡素化をしているが、鋸刃、間座、スリーブを一体にすると重量が大きくなる。さらに体積も大きくなり取扱いにくくかつ丸鋸を取り付けた状態のスリーブの交換には危険が伴う。
【０００５】
そこで従来は、スリーブを上からつるしてセットするか、台車にスリーブを仮置きする軸を取り付け、台車の仮置き軸からスリーブを移動してセットしていた。この場合、台車のスリーブの仮置き軸が１軸ではスリーブを交換する際、取り外すスリーブを一度台車の仮置き軸に抜き取とって置き、そのスリーブを台車の仮置き軸から取外し、新しいスリーブを台車の仮置き軸に載せて交換するのが普通である。また、台車を使用済みスリーブと新しいスリーブ用に２台用意する方法も有るが、いづれにしても台車に取り付けた仮置き軸とギャングリッパの鋸軸をスリーブがスムースに移動させるように台車を所定の位置に置くのに時間や手間が掛かるという問題がある。
【先行技術文献】
【非特許文献】
【０００６】
先行技術を具体的に示すと、その一例としては、使用済のギャングリッパの交換軸としては、図５及び図６に示すようなものがある。図５は側面図であり、図６は平面図である。これらの図に示すように、キャリア２２、２２を取り付けた台車２１に、複数の丸鋸２３、２３、・・を取り付けたスリーブ２４の間座２５、２６間に固定し、ギャングリッパ装置の台部３１の側面に設けた固定具３２に台車２１の下部フレーム２７を固定するものがある。そして台車２１の軸２８とギャングリッパの軸３３とを一致させ、スリーブ２４をスライドさせて軸３３へ移動させ、固定させる。従って、従来の交換装置は、スリーブ２４を、上からつるしてセットするか、台車２１にスリーブ２４を仮置きする軸２８を設け、台車２１の仮置き軸２８からスリーブ２４を移動してセットするものであり、時間と手間がかかるものであった。
【発明の概要】
【発明が解決しようとする課題】
【０００７】
この発明は、上記する課題（時間や手間がかかる）に対処するためになされたものであり、台車（交換治具）を用いてギャングリッパの丸鋸付スリーブの交換装置を安全かつスピーデイに行うことを目的としている。
【課題を解決するための手段】
【０００８】
すなわち、この発明は、上記する課題を解決するために、請求項１に記載の発明は、ギャングリッパの丸鋸付スリーブ交換装置が、
垂直に立設した旋回軸６回りに軸受１０を介して上下で回転可能に固定したフレーム５を設けた台車１と、
前記台車１の旋回軸６回りのフレーム５に固定した複数の仮置き軸７と、
前記仮置き軸７に着脱可能に且つ水平方向にギャングリッパの回転軸９に嵌め込むように仮置き軸７を移動可能とした丸鋸を設けたスリーブ８と、
丸鋸１３、１３、・・を所定の間隔で該丸鋸スリーブに配置する間座（１１、１２）と、旋回軸６を保持するフレーム５の上下調整手段と、を備えてなることを特徴としている。
【０００９】
また、請求項２に記載の発明は、ギャングリッパの丸鋸付きスリーブ交換装置が、前記旋回軸６回りに軸受を介して上下で回転可能に固定したフレーム５を設けた仮置き軸７に交換用丸鋸スリーブ８と使用済み丸鋸スリーブとをそれぞれ設け、必要なスリーブ８をギャングリッパの回転軸９に移動させることが出来る構成とすることを特徴としている。
【００１０】
また、請求項３に記載の発明は、ギャングリッパの丸鋸付きスリーブ交換装装置が、仮置き軸７を配置する角度によっては２個以上のスリーブ８を設けることを特徴としている。
【発明の効果】
【００１１】
上記手段によれば、ギャングリッパの丸鋸付きスリーブを交換する際、安全に且つスピーデイに丸鋸スリーブを交換することができる。また、旋回軸を設けたフレームに長さの異なる間座を設けた交換用の丸鋸付きスリーブを装着することにより、板幅の異なる板材でも切り出すことができる。
【００１２】
さらに高い位置にあるギャングリッパの回転軸でも、丸鋸付きスリーブを低い位置で交換し、その後元の高い位置に戻して丸鋸を回転させることができる。
【図面の簡単な説明】
【００１３】
【図１】図１（Ａ）は、本発明のギャングリッパの鋸刃付スリーブ交換装置側の側面図であり、図１（Ｂ）は、図1（Ａ）のＰ部拡大図である。
【図２】図２は、本発明のギャングリッパの鋸刃付スリーブ交換装置の平面図である。
【図３】図３は、本発明のギャングリッパの鋸刃付スリーブ交換装置の要部の斜視図である。
【図４】図４は、本発明のギャングリッパの鋸刃付スリーブ交換装置の台車の旋回部分の構成図である。
【図５】図５は、先行技術のギャングリッパの鋸刃付スリーブ交換装置の一例の側面図である。
【図６】先行技術の平面図である。
【発明を実施するための形態】
【００１４】
図１（Ａ）は、この発明のギャングリッパの丸鋸付スリーブ交換装の側面図であり、図１（Ｂ）は、図１（Ａ）のＰ部の拡大図である。また、図２は、平面図である。図３は、この発明の要部の斜視図である。また、図４は、本発明のギャングリッパの鋸刃付スリーブ交換装置の台車の旋回部分の構成図である。
これらの図で、１は本発明のギャングリッパの丸鋸付きスリーブ（丸鋸刃の付いたスリーブ）交換装置の台車である。該台車１は、ギャングリッパの近傍に配置され片側にはこの台車１を押したり，引いたりする取っ手２が設けてある。また、この台車１は丈夫なフレーム３で構成されている。該フレーム３等の中央や上部は、やはりフレーム４および５で構成され、内部には旋回軸６が縦に設けられている（図４参照）。この旋回軸６は、軸受６の周囲に前記回転円筒体のフレーム５が配置されている。
【００１５】
前記台車１は、ギャングリッパの片側に着脱するもので、下部の片側フレームに設けられた突起１５が台車１のギャングリッパ側に設けられたフレーム３に設けられた穴３ｂに着脱できるようにしてある。すなわち、丸鋸を変えるとき、スリーブ８（後述）を別のスリーブに変えるとき着脱するようにしてある。
【００１６】
前記上部のフレーム３と円筒体５とは一体に固定されているが、上側には旋回軸６に仮置き軸（７、７）が水平に設けられている。そしてこの仮置き軸７にはスリーブ８、８が着脱可能に嵌められており、フレーム５に固定された仮置き軸７は旋回軸６と共にフレーム５の回りを軸受１０、１０を介して旋回するようにしてある。さらに、スリーブ８は、前記仮置き軸７から水平方向に移動してギャングリッパの回転軸９に嵌るように移動可能としてある。
【００１７】
１１及び１２は、丸鋸刃１３、１３、・・を所定の間隔で前記スリーブ８に配置する間座である。この間座（１１、１２）は縦挽きする板材の幅によって異なるように種々の幅のものを準備する。また、縦挽き幅を変える場合は仮置き軸７、７のある旋回軸６を置いた台車１上で交換する。
【００１８】
次に、前記旋回軸６を設けた台車１の仮置き軸７には、図１、２に示すように、交換用丸鋸刃１３、１３、・・を設置したスリーブ８と使用済丸鋸を設けてあるスリーブ８をそれぞれ設ける。すなわち、最初、使用予定の所定のスリーブ８をギャングリッパの回転軸９に装着する。そして、使用後この使用済の丸鋸１３、１３、・・を設けたスリーブ８を外して台車１の旋回軸６の仮置き軸７に装着していた次の使用予定の丸鋸１３、１３、・・を設けたスリーブ８を外してギャングリッパの回転軸９に装着する。
【００１９】
また、旋回軸６を保持するフレーム５は、ボルト１５とナット１６等によって仮置き軸７の上下の調整を行い、該仮置き軸７と回転軸９とを一致させる。この上下調整手段は他の調整手段、例えばピニオンとラックによっても良い。
【００２０】
本発明の実施例の一形態は、以上の様であるがあるが次にその作用（使用例）について説明する。台車１にはこれから使用しようとする丸鋸１３、１３、・・を設けたスリーブ８を仮止め軸７に装着しておく。次に、台車１をギャングリッパに接近させ、ギャングリッパの回転軸９から使用済の丸鋸１２、１２、・・を台車１上の空いている仮止め軸７に移動させる。そして仮置き軸７を旋回させ、ギャングリッパで今度使用する丸鋸１３、１３、・・を設けたスリーブ８から回転軸９に取り付ける。こうして仮置き軸７から古い丸鋸を外し、新しい丸鋸を設けた新しいスリーブ８をギャングリッパに取り付けることができる。
【００２１】
次に、旋回軸６を保持するフレーム５は、このフレーム５に固定されている仮止め軸７に装着している次に使用する予定の縦幅の異なる間座のスリーブ８をギャングリッパ方向に向けて合わせねじ等で固定する。こうして、縦方向に幅の異なる板材を縦挽きすることができる。
【００２２】
なお、さらに縦幅の異なる丸鋸１３、１３、・・を設けたスリーブ８は、使用済の丸鋸のスリーブ８を台車１で交換して準備する。
【００２３】
この発明のギャングリッパの丸鋸付スリーブ交換装置によれば、従来使用済の丸鋸を設けたスリーブとこれから使用する丸鋸を設けたスリーブの交換に時間がかかっていた交換時間をスムースに且つ短時間に行うことができる。そして、この交換短時間で台車を２台必要とすることなく、１台の台車で丸鋸スリーブ交換することができるようになる。また、重量が増し又体積が大きくなることもない。
【００２４】
特に、仮置き軸７を１８０度間隔とすれば、２種類の新しい丸鋸付きのスリーブ８を設けることが可能となり、９０度間隔とすれば４種類の丸鋸付きのスリーブを交換することが可能となる。また、仮置き軸７を配置する角度によっては更に多くの（５種類以上の）スリーブ８を設けることができる。
【産業上の利用可能性】
【００２５】
この発明のギャングリッパの鋸刃付スリーブ交換装置は、板材の種々の板幅を縦挽きするギャングリッパに用いることができる。そのため広く利用することができるので需要も多い。
【符号の説明】
【００２６】
１    台車
２    取っ手
３    フレーム
４    フレーム
５    フレーム
６    旋回軸
７    仮置き軸
８    スリーブ
９    回転軸
１０  軸受  
１１  間座
１２  間座
１３  丸鋸刃
１５  ボルト
１６  ナット
【図１】
2013193424.tif 000003
【図２】
2013193424.tif 000004
【図３】
2013193424.tif 000005
【図４】
2013193424.tif 000006
【図５】
2013193424.tif 000007
【図６】
2013193424.tif 000008